(57)【要約】【課題】エアマットを変更する際に、無駄なく手間なく効率的に変更でき、コストや保管スペースも節約可能なエアマット制御装置を提供する。【解決手段】エアマット制御装置２００は、複数種類のエアマット１００に接続可能であり、各種類のエアマット１００の状態を制御する。エアマット制御装置２００は、記憶部２４０および制御部２１０を有する。記憶部２４０は、各種類のエアマット１００の状態を制御するためのエアマット１００の種類ごとの設定を記憶する。制御部２１０は、接続されるエアマット１００の種類に応じて記憶部２４０に記憶された設定を切り替えて使用してエアマット１００の状態を制御する。【選択図】図１
2019063346.tif 000002
【特許請求の範囲】
【請求項１】
複数種類のエアマットに接続可能であり、各種類のエアマットの状態を制御するエアマット制御装置であって、
前記各種類のエアマットの状態を制御するための前記エアマットの種類ごとの設定を記憶する記憶部と、
接続される前記エアマットの種類に応じて前記記憶部に記憶された前記設定を切り替えて使用して前記エアマットの状態を制御する制御部と、
を有するエアマット制御装置。
【請求項２】
前記エアマットの種類を識別する識別部をさらに有し、
前記制御部は、前記識別部によって識別された前記エアマットの種類に応じて前記設定を切り替える請求項１に記載のエアマット制御装置。
【請求項３】
前記エアマットに関連付けられたＲＦＩＤタグ、バーコードおよび２次元バーコードのうちの少なくとも一つから前記エアマットの種類を識別するための識別情報を取得する取得部をさらに有し、
前記識別部は、前記取得部によって取得された前記識別情報に基づいて、接続された前記エアマットの種類を識別する、請求項２に記載のエアマット制御装置。
【請求項４】
前記エアマットを接続する際に、前記エアマットの種類ごとに異なって設けられる機械的構造を認識する機械的認識部をさらに有し、
前記識別部は、前記機械的認識部によって認識された機械的構造に基づいて、接続された前記エアマットの種類を識別する請求項２に記載のエアマット制御装置。
【請求項５】
前記エアマットを接続する際に、前記エアマットの種類ごとに異なって設けられる電気的要素を認識する電気的認識部をさらに有し、
前記識別部は、前記電気的認識部によって認識された電気的要素に基づいて、接続された前記エアマットの種類を識別する請求項２に記載のエアマット制御装置。
【請求項６】
前記エアマットの種類に関するユーザーからの入力を受け付ける受付部をさらに有し、
前記制御部は、前記受付部によって受け付けられた前記入力に応じて前記設定を切り替える請求項１に記載のエアマット制御装置。
【請求項７】
前記エアマットに空気を供給する空気供給部をさらに有し、
前記記憶部には、前記エアマットの種類ごとに前記空気供給部を制御するための設定が記憶され、
前記制御部は、前記エアマットの種類に応じて前記空気供給部を制御するための前記設定に基づいて前記空気供給部を制御する請求項１〜６のいずれか一項に記載のエアマット制御装置。
【請求項８】
前記エアマットを制御するための画面を表示してユーザーの指示を受け付ける表示操作部をさらに有し、
前記記憶部には、前記エアマットの種類ごとに前記表示操作部を制御するための設定が記憶され、
前記制御部は、前記エアマットの種類に応じて前記表示操作部を制御するための前記設定に基づいて前記表示操作部を制御する請求項１〜７のいずれか一項に記載のエアマット制御装置。
【請求項９】
複数種類のエアマットに接続可能であり、各種類のエアマットの状態を制御するエアマット制御装置において実行されるエアマット制御方法であって、
前記各種類のエアマットの状態を制御するための設定を、接続される前記エアマットの種類に応じて切り替えて前記エアマットを制御する制御ステップを有するエアマット制御方法。
【発明の詳細な説明】
【技術分野】
【０００１】
本発明は、エアマット制御装置およびエアマット制御方法に関する。
【背景技術】
【０００２】
病院ベッドや介護ベッドの上に患者や要介護者が長期に渡って横たわる際、ベッドの上にエアマットを載置して患者や要介護者が受ける圧力を分散し、床ずれ（褥瘡）等の発生を防止する技術が知られている。
【０００３】
近年では、空気を供給するポンプを備えた制御装置をエアマットに接続し、ベッド装置や利用者の状態に応じてエアマットの設定を変更して適切な状態に制御する技術も知られている（たとえば、特許文献１参照）。また、エアマットについても、利用者の体型や状態、載置するベッドの種類等に応じてそれぞれ異なる機能や性能を有する様々な種類のものが提供されている。
【先行技術文献】
【特許文献】
【０００４】
【特許文献１】特開２０１６−１２７９８２号公報
【発明の概要】
【発明が解決しようとする課題】
【０００５】
しかしながら、たとえば特許文献１記載の技術のように、従来のエアマットにおいては、そのエアマット専用の制御装置が使用され、エアマットと制御装置とは一対一の対としてセットで使用される。そのため、たとえば利用者がエアマットの機種やサイズを変更する場合には、制御装置もあわせて変更する必要があり、変更前の制御装置が無駄になってしまうという問題がある。また、変更前の制御装置に登録していたエアマットの設定を、新たな制御装置に初めから登録し直す必要があり、手間がかかってしまうという問題もある。さらに、制御装置ごとに操作方法が異なる場合は、新たな制御装置の操作方法を習得しなければならないという問題もある。また、病院や介護施設においてもエアマットと制御装置を対として在庫しておく必要があり、コストや保管スペース等の無駄が生じる虞もある。
【０００６】
本発明は、上記事情に鑑みてなされたものであり、エアマットを変更する際に、無駄なく手間なく効率的に変更でき、コストや保管スペースも節約可能なエアマット制御装置およびエアマット制御方法を提供することを目的とする。
【課題を解決するための手段】
【０００７】
エアマット制御装置は、複数種類のエアマットに接続可能であり、各種類のエアマットの状態を制御する。エアマット制御装置は、記憶部と制御部とを有する。記憶部は、各種類のエアマットの状態を制御するためのエアマットの種類ごとの設定を記憶する。制御部は記憶部に記憶された設定を切り替えて使用してエアマットの状態を制御する。
【０００８】
エアマット制御方法は、複数種類のエアマットに接続可能であり、各種類のエアマットの状態を制御するエアマット制御装置において実行される。エアマット制御方法は、各種類のエアマットの状態を制御するための設定を、接続されるエアマットの種類に応じて切り替えてエアマットを制御する制御ステップを有する。
【発明の効果】
【０００９】
本発明のエアマット制御装置によれば、接続されるエアマットの種類に応じて記憶部に記憶されたエアマットの種類ごとの設定を切り替えて使用してエアマットの状態を制御する。これにより、エアマットを変更する際に、無駄なく手間なく効率的にエアマットの設定を行うことができる。また、一つのエアマット制御装置が複数の種類のエアマットに対応できるので、エアマットと制御装置を対として在庫しておく必要がなくなり、コストや保管スペースも節約可能となる。
【図面の簡単な説明】
【００１０】
【図１】エアマット制御装置が適用されるエアマットシステムの概略構成図である。
【図２】エアマット制御装置の概略構成図である。
【図３】エアマット制御装置のストレージに記憶される情報の一例を示す図である。
【図４】第１実施形態に係るエアマット制御装置によって実行される設定処理の手順を示すフローチャートである。
【図５】エアマット制御装置の識別部においてエアマットの種類を識別する方法を例示する図である。
【図６】第２実施形態に係るエアマット制御装置によって実行される設定処理の手順を示すフローチャートである。
【図７】図６のステップＳ２０１の処理においてエアマット制御装置の表示操作部に表示される画面の一例を示す図である。
【発明を実施するための形態】
【００１１】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１２】
＜第１実施形態＞
図１は、エアマット制御装置が適用されるエアマットシステムの概略構成図である。
【００１３】
図１に示されるエアマットシステムは、たとえば、病院や介護施設等において用いられる。
【００１４】
図１に示すように、エアマットシステムは、それぞれ種類が異なる複数のエアマット１００ａ、１００ｂおよび複数種類のエアマット１００に接続可能なエアマット制御装置２００を有する。ここで、エアマット１００の種類とは、エアマット１００の機種や同一機種におけるサイズ違いの製品等、エアマット１００の機能、性能、サイズ、形状等の各種属性によってエアマット１００を分類したものである。以下では、エアマット１００ａ、１００ｂをエアマット１００と総称する。また、エアマット１００の各構成についても、特に区別がある場合を除き、符号ａ、ｂを付さずに表記する。
【００１５】
エアマット１００は、接続チューブ１３０および接続部１４０を介してエアマット制御装置２００に接続される。接続チューブ１３０および接続部１４０は、それぞれ独立して空気を移送可能な複数の送風チューブと、電気信号を伝達可能な配線とを有する。エアマット制御装置２００は、接続チューブ１３０および接続部１４０を介してエアマット１００に空気を供給すると共に、エアマット１００に設けられたセンサー等との間で電気信号を送受信する。エアマット制御装置２００は、エアマット１００の種類に応じてエアマット１００の空気供給設定等の各種設定を切り替え可能であり、設定に基づいてエアマット１００の状態を制御する。以下、各構成について詳細に説明する。
【００１６】
＜エアマット１００＞
エアマット１００は、たとえば、ベッドマットレス１１０上に載置され、ベッドマットレス１１０の短手方向に伸びる袋状のエアセル１２０を、ベッドマットレス１１０の長手方向に複数並べて構成される。エアマット１００は、それぞれ独立した複数の空気供給系統を有する。各空気供給系統には、それぞれ異なる送風チューブが接続され、各空気供給系統にそれぞれ独立して空気が供給される。各エアセル１２０は、複数の空気供給系統のいずれかに接続され、空気供給系統ごとに内圧が制御される。各エアセル１２０は、複数のグループに分けられ、グループごとに各エアセル１２０同士が連通されていてもよい。
【００１７】
たとえば、図１に示す例では、エアマット１００は、３つの空気供給系統を有している。各エアセル１２０は、並べられた順に、順次３つのグループに分けられ、各グループ内のエアセル１２０同士が連通される。各グループは３つの空気供給系統にそれぞれ接続される。そして、３つの空気供給系統の内圧設定を周期的に変更することによって、各空気供給系統に接続されたエアセル１２０を周期的に膨張および収縮させて、エアマット１００を波動させることができる。これにより、利用者に接触するエアセル１２０を周期的に変更することができ、同じエアセル１２０が長時間連続して利用者に接触することよるムレや圧迫を防止して褥瘡の発生を抑止できる。なお、エアセル１２０の種類、形状、個数、並び方等は、図１に示す例に限定されず、いかなる態様でエアセル１２０が使用されてもよい。また、空気供給系統の数やエアセル１２０の接続方法等も、上記の例に限定されない。たとえば、エアマット１００の側部にエアセルを設けて周期的に膨張および収縮させることにより、利用者の寝返りによる姿勢変更を促すようにしてもよい。
【００１８】
さらに、エアマット１００は、各エアセル１２０の内圧を検出する内圧センサーや、背上げした際のエアマット１００の傾きを検出する角度センサー等の各種センサーを備えていてもよい。また、エアマット１００は、温度調整手段、送風手段、表示手段や発音手段等、利用者の状態や使用環境等に応じて制御可能な各種の構成を備えることができる。なお、上記の内圧センサー等の各種構成は、接続チューブ１３０やエアマット制御装置２００等、エアマット１００以外の箇所に設けられていてもよい。
【００１９】
また、エアマット１００の接続部１４０には、エアマット１００の種類を識別するための識別情報が記録されたＲＦＩＤタグ、バーコードまたは２次元バーコードが設けられる。あるいは、接続部１４０に、エアマット１００の種類を識別するための機械的構造が設けられてもよい。また、接続部１４０に、エアマット１００の種類を識別するための電気的要素が設けられてもよい。なお、上記のようなエアマット１００の種類を識別するための構成は、エアマット１００の接続部１４０以外の箇所に設けられていてもよい。
【００２０】
＜エアマット制御装置２００＞
エアマット制御装置２００は、エアマット１００の種類ごとの設定を記憶しており、接続されるエアマット１００の種類に応じて設定を切り替えて使用してエアマット１００の状態を制御する。エアマット制御装置２００は、複数の空気供給系統に分けてエアマット１００に空気を供給可能であり、各空気供給系統に接続されたエアセル１２０の内圧を制御可能である。また、エアマット制御装置２００は、エアマット１００に設けられた各種センサーから送信される信号を受信してエアマット１００や利用者の状態を判断し、判断結果に応じてエアマット１００の状態を制御する。たとえば、エアマット制御装置２００は、エアマット１００の角度センサーからの情報に基づいて利用者の背上げ状態を判断する。背上げしていると判断された場合、エアマット制御装置２００は、利用者の腰の部分の底づきを防止するため、エアセル１２０の内圧を高めることができる。以下、エアマット制御装置２００について詳細に説明する。
【００２１】
図２は、エアマット制御装置の概略構成図である。
【００２２】
図２に示すように、エアマット制御装置２００は、ＣＰＵ２１０、ＲＯＭ２２０、ＲＡＭ２３０、ストレージ２４０、表示操作部２５０、識別部２６０、空気供給部２７０および通信部２８０を備え、これらは信号をやり取りするためのバス２９０を介して相互に接続されている。
【００２３】
ＣＰＵ２１０は、ＲＯＭ２２０やストレージ２４０に記録されているプログラムにしたがって、上記各部の制御や各種の演算処理を行う。ＣＰＵ２１０は、プログラムを実行することによって、制御部および受付部として機能する。
【００２４】
ＲＯＭ２２０は、各種プログラムや各種データを格納する。
【００２５】
ＲＡＭ２３０は、作業領域として一時的にプログラムやデータを記憶する。
【００２６】
ストレージ２４０は、オペレーティングシステムを含む各種プログラムや、各種データを格納する。また、ストレージ２４０には、エアマットの種類ごとの識別情報、名称、サイズ、空気供給系統の系統数、モード、制御画面パターン等の設定が相互に関連付けられて記憶されている。上記の設定は、プリセット情報として装置の製造時や出荷時等に記憶されてもよく、あるいは、使用する際にオペレーター操作、記憶媒体からのインストール、ネットワーク経由でのダウンロード等によって記憶されてもよい。
【００２７】
表示操作部２５０は、たとえば、タッチパネル方式の液晶ディスプレイや、各種操作ボタン等であり、各種情報を表示したり、各種入力を行ったりするために使用される。
【００２８】
識別部２６０は、接続されるエアマット１００の種類を識別する。識別部２６０には、たとえば、ＲＦＩＤタグリーダー、バーコードリーダー、２次元バーコードを読み取り可能なカメラ等の入力装置が取得部として接続される。識別部２６０は、取得部を介して、エアマット１００に付されたＲＦＩＤタグ、バーコード、２次元バーコード等から、エアマット１００の種類を識別するための識別情報を取得し、取得した識別情報に基づいてエアマット１００の種類を識別する。あるいは、識別部２６０には、エアマット１００の種類ごとに異なって設けられる機械的構造を認識するための機械的認識部が設けられてもよい。この場合、識別部２６０は、機械的認識部によって認識されたエアマット１００の機械的構造に基づいてエアマット１００の種類を識別する。また、識別部２６０には、エアマット１００の種類ごとに異なって設けられる電気的要素を認識するための電気的認識部が設けられてもよい。この場合、識別部２６０は、電気的認識部によって認識された電気的要素に基づいてエアマット１００の種類を識別する。取得部、機械的認識部および電気的認識部について、詳細は後述する。
【００２９】
空気供給部２７０は、空気を供給するポンプと、各空気供給系統に分配する分配器と、供給量を調整するバルブと、エアマット１００の接続部１４０を接続するための接続機構とを有する。空気供給部２７０は、ＲＡＭ２３０またはストレージ２４０に記憶された各種設定や、内圧センサーからの内圧情報、ＣＰＵ２１０からの指示等に基づいて、エアマット１００の各エアセル１２０が所定の内圧になるように空気を供給する。空気供給部２７０の接続機構は、様々な種類のエアマット１００を接続可能となるように構成される。空気供給部２７０は、エアマット１００の空気供給系統の数に合わせて必要な空気供給系統に空気を供給できるように分配器やバルブ等を制御することができる。
【００３０】
通信部２８０は、エアマット１００やネットワーク上のサーバー等の外部機器と通信するための有線または無線の通信インターフェースである。通信インターフェースとしては、たとえば、ＵＳＢ、ＲＳ２３２Ｃ、イーサネット（登録商標）、Ｗｉ−ＦｉまたはＢｌｕｅｔｏｏｔｈ（登録商標）等の各種規格が用いられる。
【００３１】
なお、エアマットシステムの各構成は、それぞれ上記の構成要素以外の構成要素を含んでいてもよく、あるいは、上記の構成要素のうちの一部が含まれていなくてもよい。
【００３２】
＜ストレージ２４０に記憶される情報＞
図３は、エアマット制御装置のストレージに記憶される情報の一例を示す図である。
【００３３】
図３に示すように、エアマット制御装置２００のストレージ２４０には、たとえば、エアマット１００の種類ごとの識別情報、名称、サイズ、系統数、モード、制御画面パターン等の情報が相互に関連付けられて記憶されている。
【００３４】
識別情報は、エアマット１００の種類を識別するための情報であり、たとえば英数字や記号等によって表現される情報である。識別情報としては、たとえばエアマット１００の種類ごとに設定される型番情報や他の任意に設定される情報を適宜用いることができる。
【００３５】
名称は、エアマット１００の機種名や通称等を示す情報であり、上記の識別情報と同様にエアマット１００の種類を識別するための情報として使用される。また、たとえば名称をエアマット制御装置２００の表示操作部２５０に表示してユーザーに確認させることによって、エアマット１００の設置ミスや情報の登録ミス等を検知できるようにしてもよい。なお、ストレージ２４０には、識別情報に加えて、または識別情報の代わりに、エアマット１００の種類ごとに異なって設けられるエアマット１００の機械的構造に関する情報が記憶されてもよい。また、ストレージ２４０には、エアマット１００の種類ごとに異なって設けられるエアマット１００の電気的要素に関する情報が記憶されてもよい。
【００３６】
サイズは、エアマット１００の種類ごとのサイズを示す情報であり、サイズに応じて空気供給部２７０を制御してエアマット１００の状態を制御するために用いられる。たとえばエアマット制御装置２００は、エアマット１００のサイズに基づいて、エアマット１００の内圧を制御するための空気供給量を算出する。これにより、エアマット制御装置２００は、エアマット１００に適切な量の空気を供給できる。
【００３７】
系統数は、エアマット１００の種類ごとの空気供給系統の数を示す情報であり、エアマット１００の空気供給系統の数に応じて空気供給部２７０を制御してエアマット１００の状態を制御するために用いられる。たとえばエアマット制御装置２００は、エアマット１００の系統数に応じて、空気供給部２７０の分配器やバルブを制御し、必要な空気供給系統に対して適切に空気を供給できる。
【００３８】
モードは、エアマット１００の種類ごとの対応可能なモードのパターンを示す情報であり、エアマット１００の対応可能なモードのパターンに応じてエアマット１００への空気供給や制御画面を制御するために用いられる。モードの種類としては、たとえば、利用者の背上げまたは足上げ状態に応じてエアセル１２０の内圧を制御する背上げモードまたは足上げモードや、利用者の拘縮状態に対応して内圧を制御する拘縮モード、利用者の症状に応じて動作を制御する安静モード等がある。対応可能なモードのパターンは、それぞれのモードに対する対応有無をパターンとして示すものである。モード設定として、対応可能なモードのパターンの他に、各モードの内圧設定に関する情報等が記憶されてもよい。
【００３９】
制御画面パターンは、エアマット１００の種類ごとの、エアマット制御装置２００の表示操作部２５０に表示される制御用画面のパターンを示す情報である。エアマット制御装置２００は、制御画面パターンに応じて表示操作部２５０に表示させる制御画面を変更する。ここで、エアマット制御装置２００は、制御画面のための独立した情報を保有せずに、エアマット１００の系統数やモード設定等の情報に基づいて、エアマット１００の種類ごとに制御画面を変更してもよい。
【００４０】
ストレージ２４０に記憶されるものとして説明した上記の情報は、ネットワークを介して接続される外部のサーバー等に記憶されてもよい。エアマット制御装置２００は、外部のサーバーから取得した上記情報を使用してエアマット１００を制御してもよい。
【００４１】
＜エアマット制御装置２００によって実行される設定処理の概要＞
図４は、第１実施形態に係るエアマット制御装置によって実行される設定処理の手順を示すフローチャートである。なお、図４に示すエアマット制御装置２００の処理は、エアマット制御装置２００のストレージ２４０にプログラムとして記憶されており、ＣＰＵ２１０が各部を制御することにより実行される。図４に示す処理は、利用者がエアマット１００を利用する際等に実行される設定処理である。
【００４２】
図４に示すように、エアマット制御装置２００は、エアマット１００の種類を識別する（ステップＳ１０１）。たとえば、エアマット制御装置２００は、識別部２６０に接続された取得部を介してエアマット１００の識別情報を取得し、取得された識別情報に基づいてエアマット１００の種類を識別する。あるいは、エアマット制御装置２００は、識別部２６０に接続された機械的認識部を介してエアマット１００の種類ごとに異なって設けられる機械的構造を認識し、認識された機械的構造に基づいてエアマット１００の種類を識別してもよい。また、エアマット制御装置２００は、識別部２６０に接続された電気的認識部を介してエアマット１００の種類ごとに異なって設けられる電気的要素を認識し、認識された電気的要素に基づいてエアマット１００の種類を識別してもよい。ステップＳ１０１の処理について、詳細は後述する。
【００４３】
続いて、エアマット制御装置２００は、エアマット１００の種類の識別に成功したか否かを判断する（ステップＳ１０２）。
【００４４】
識別に成功していない場合（ステップＳ１０２：ＮＯ）、エアマット制御装置２００は、ステップＳ１０１の処理に戻り、エアマット１００の種類の識別処理を継続する。
【００４５】
識別に成功した場合（ステップＳ１０２：ＹＥＳ）、エアマット制御装置２００は、識別したエアマット１００の種類に応じてエアマット１００を制御するための各種設定を変更する（ステップＳ１０３）。たとえば、エアマット制御装置２００は、識別されたエアマット１００の種類に対応したサイズ、系統数、モード設定等の情報を切り替えて使用して、エアマット１００に供給する適切な空気量や供給タイミングを算出する。エアマット制御装置２００は、算出結果に基づいて、空気供給部２７０を制御するための設定を変更する。また、エアマット制御装置２００は、識別されたエアマット１００の種類に対応した制御画面パターンの情報を使用して表示操作部２５０を制御するための設定を変更する。
【００４６】
続いて、エアマット制御装置２００は、ステップＳ１０３の処理において切り替えた設定に基づいてエアマット１００の状態を制御する（ステップＳ１０４）。ステップＳ１０４の処理が完了すると、エアマット制御装置２００は、設定処理を終了し、設定に基づいてエアマット１００の制御を継続して実行する。
【００４７】
＜ステップＳ１０１の識別処理＞
次に、図４のステップＳ１０１に示されるエアマット１００の種類を識別する処理について説明する。
【００４８】
図５は、エアマット制御装置の識別部においてエアマットの種類を識別する方法を例示する図である。図５において、（ａ）は、識別部２６０にＲＦＩＤタグリーダー２６１が接続されている様子を示す。（ｂ）は、識別部２６０に２次元バーコードを読み取り可能なカメラ２６２が接続されている様子を示す。（ｃ）は、識別部２６０にエアマット１００側に設けられる凸部のパターンを認識するための機械的認識機構２６３が接続されている様子を示す。（ｄ）は、識別部２６０にエアマット１００側に設けられる凹部のパターンを認識するための機械的認識機構２６４が接続されている様子を示す。（ｅ）は、識別部２６０にエアマット１００側に設けられる電気的要素を認識する電気的認識機構２６５が接続されている様子を示す。
【００４９】
図５（ａ）に示すように、識別部２６０には、ＲＦＩＤタグリーダー２６１が取得部として接続される。エアマット１００の接続部１４０には、エアマット１００の種類を識別するための識別情報が記録されたＲＦＩＤタグ１５１が設けられている。識別部２６０は、ＲＦＩＤタグリーダー２６１を介してＲＦＩＤタグ１５１から識別情報を取得して、取得した識別情報に基づいてエアマット１００の種類を識別する。
【００５０】
図５（ｂ）に示すように、識別部２６０には、２次元バーコードを読み取り可能なカメラ２６２が取得部として接続される。エアマット１００の接続部１４０には、エアマット１００の種類を識別するための識別情報が符号化された２次元バーコード１５２が設けられている。識別部２６０は、カメラ２６２を介して２次元バーコード１５２から識別情報を取得して、取得した識別情報に基づいてエアマット１００の種類を識別する。なお、識別部２６０には、カメラ２６２の代わりにバーコードリーダーが設けられてもよく、エアマット１００の接続部１４０に設けられたバーコードから識別情報を取得してエアマット１００の種類を識別してもよい。
【００５１】
なお、取得部は、上記の例に限定されず、エアマット１００の識別情報を取得可能なものであればいかなる装置が用いられてもよい。また、識別情報が記録される媒体も上記の例に限定されず、識別情報を記録可能なものであればいかなる媒体が用いられてもよい。
【００５２】
図５（ｃ）に示すように、識別部２６０には、エアマット１００に設けられる複数の凸部のパターンを認識するための機械的認識機構２６３が機械的認識部として接続される。エアマット１００の接続部１４０には、エアマット１００の種類ごとに異なる凸部パターン１５３が設けられている。識別部２６０は、機械的認識機構２６３を介して凸部パターン１５３を認識して、認識した凸部パターン１５３をストレージ２４０に記憶されたエアマット１００の機械的構造に関する情報とマッチングすることによって、エアマット１００の種類を識別する。機械的認識機構２６３は、たとえばエアマット１００を接続する際に凸部パターン１５３の各凸部によってそれぞれ押下される複数のスイッチにより構成されてもよい。この場合、複数のスイッチの押下状況を取得することによって凸部パターン１５３を認識できる。あるいは、機械的認識機構２６３は、凸部パターン１５３に対して赤外線等を照射して反射光を受光および解析することによって凸部パターン１５３を認識する赤外線センサーであってもよい。また、機械的認識機構２６３は、複数のタッチを同時に検出できるタッチセンサーであってもよい。この場合、エアマット１００を接続する際の凸部パターン１５３によるタッチの状況を取得することによって凸部パターン１５３を認識できる。
【００５３】
図５（ｄ）に示すように、識別部２６０には、エアマット１００に設けられる複数の凹部のパターンを認識するための機械的認識機構２６４が機械的認識部として接続される。エアマット１００の接続部１４０には、エアマット１００の種類ごとに異なる凹部パターン１５４が設けられている。識別部２６０は、機械的認識機構２６４を介して凹部パターン１５４を認識して、認識した凹部パターン１５４をストレージ２４０に記憶されたエアマット１００の機械的構造に関する情報とマッチングすることによって、エアマット１００の種類を識別する。機械的認識機構２６４は、機械的認識機構２６３と同様に、複数のスイッチによって構成されてもよく、赤外線センサー、タッチセンサー等によって構成されてもよい。
【００５４】
なお、機械的認識部は、上記の例に限定されず、エアマット１００に設けられる機械的構造を認識可能なものであればいかなる機構や装置が用いられてもよい。また、機械的構造の態様も上記の例に限定されず、機械的認識部において認識可能なものであればいかなる構造が用いられてもよい。
【００５５】
図５（ｅ）に示すように、識別部２６０には、エアマット１００に設けられる電気的要素１５５を認識するための電気的認識機構２６５が電気的認識部として接続される。エアマット１００の接続部１４０には、たとえばエアマット１００の種類ごとに異なる電気的要素１５５が設けられている。電気的要素１５５は、たとえば回路や素子、各種装置等であり、電気的信号を生成可能な構成であればいかなるものでもよい。識別部２６０は、電気的認識機構２６５を介して電気的要素１５５を認識して、認識した電気的要素１５５をストレージ２４０に記憶されたエアマット１００の電気的要素１５５に関する情報とマッチングすることによって、エアマット１００の種類を識別する。たとえば、電気的認識機構２６５は、電気的要素１５５の電気抵抗等の電気的特性値に基づいて電気的要素１５５を認識することができる。あるいは、電気的認識機構２６５は、電気的要素１５５から受信する電気的信号に基づいて電気的要素１５５を認識してもよい。
【００５６】
以上のように、第１実施形態のエアマット制御装置２００によれば、接続されるエアマット１００の種類に応じてストレージ２４０に記憶されたエアマット１００の種類ごとの設定を切り替えて使用してエアマット１００の状態を制御する。これにより、エアマット１００を変更する際に、無駄なく手間なく効率的にエアマット１００の設定を行い、エアマット１００を変更することができる。また、一つのエアマット制御装置２００が複数の種類のエアマット１００に対応できるので、エアマット１００と制御装置２００を対として在庫しておく必要がなくなり、コストや保管スペースも節約可能となる。
【００５７】
また、エアマット制御装置２００は、エアマット１００の種類を識別する識別部２６０を有し、識別部２６０によって識別されたエアマット１００の種類に応じて設定を切り替える。これにより、エアマット１００の種類を自動的に識別できるため、迅速かつ正確にエアマット１００の設定を行うことができる。
【００５８】
また、エアマット制御装置２００は、エアマット１００に関連付けられたＲＦＩＤタグ、バーコードおよび２次元バーコードのうちの少なくとも一つからエアマット１００の種類を識別するための識別情報を取得してエアマット１００の種類を識別する。これにより、より確実にエアマット１００の種類を識別できる。
【００５９】
また、エアマット制御装置２００は、機械的認識部によって認識された機械的構造に基づいて、接続されたエアマット１００の種類を識別する。これにより、エアマット１００ごとに簡単な構成変更を行うだけでエアマット１００の種類を識別できる。
【００６０】
また、エアマット制御装置２００は、電気的認識部によって認識された電気的要素に基づいて、接続されたエアマット１００の種類を識別する。これにより、エアマット１００ごとに電気的要素を変更するだけでエアマット１００の種類を識別できる。
【００６１】
また、エアマット制御装置２００は、エアマット１００の種類に応じて空気供給部２７０を制御するための設定に基づいてエアマット１００の状態を制御する。これにより、エアマット１００の種類に応じて空気供給部２７０を適切に制御できる。
【００６２】
また、エアマット制御装置２００は、エアマット１００の種類に応じて表示操作部２５０を制御するための設定に基づいてエアマット１００の状態を制御する。これにより、エアマット１００の種類に応じて表示操作部２５０を適切に制御できる。
【００６３】
＜第２実施形態＞
次に、第２実施形態のエアマット制御装置について説明する。
【００６４】
上記の第１実施形態では、エアマット制御装置２００が、接続されるエアマット１００の種類を識別し、識別された種類に応じて設定を切り替えてエアマット１００の状態を制御する例について説明した。しかし、エアマット制御装置２００は、エアマット１００の種類に関する入力を受け付けて、受け付けられた入力に応じて設定を切り替えてエアマット１００の状態を制御してもよい。以下、エアマット制御装置２００がエアマット１００の種類に関する入力を受け付ける例について説明する。
【００６５】
第２実施形態のエアマット制御装置２００の構成は、図２に示されるエアマット制御装置２００の構成から識別部２６０を除いたものと同様であるため、その説明を省略する。以下、第２実施形態のエアマット制御装置２００における処理について説明する。
【００６６】
図６は、第２実施形態に係るエアマット制御装置によって実行される設定処理の手順を示すフローチャートである。図７は、図６のステップＳ２０１の処理においてエアマット制御装置の表示操作部に表示される画面の一例を示す図である。なお、図６に示すエアマット制御装置２００の処理は、エアマット制御装置２００のストレージ２４０にプログラムとして記憶されており、ＣＰＵ２１０が各部を制御することにより実行される。
【００６７】
図６に示すように、エアマット制御装置２００は、エアマット１００の種類の選択を受け付ける（ステップＳ２０１）。具体的には、エアマット制御装置２００は、ストレージ２４０に記憶されたエアマット１００の種類に関する情報に基づいて、エアマット１００の種類の名称等の情報を表示操作部２５０に表示し、ユーザーからのエアマット１００の種類の選択を受け付ける。
【００６８】
続いて、エアマット制御装置２００は、ユーザーからエアマット１００の種類の選択を受け付けたか否かを判断する（ステップＳ２０２）。
【００６９】
選択が受け付けられない場合（ステップＳ２０２：ＮＯ）、エアマット制御装置２００は、ステップＳ２０１の処理に戻り、エアマット１００の種類の受け付け処理を継続する。
【００７０】
選択が受け付けられた場合（ステップＳ２０２：ＹＥＳ）、エアマット制御装置２００は、選択されたエアマット１００の種類に応じてエアマット１００を制御するための各種設定を変更する（ステップＳ２０３）。ステップＳ２０３の処理は、図４のステップＳ１０３の処理と同様であるため、説明を省略する。
【００７１】
続いて、エアマット制御装置２００は、ステップＳ２０３の処理において切り替えた設定に基づいてエアマット１００の状態を制御する（ステップＳ２０４）。ステップＳ２０４の処理は、図４のステップＳ１０４の処理と同様であるため、説明を省略する。ステップＳ２０４の処理が完了すると、エアマット制御装置２００は、設定処理を終了し、設定に基づいてエアマット１００の制御を継続して実行する。
【００７２】
以上のように、第２実施形態のエアマット制御装置２００によれば、エアマット１００の種類に関するユーザーからの入力を受け付け、受け付けられた入力に応じて設定を切り替える。これにより、ユーザーはエアマット１００の種類を選択したり入力したりするだけでエアマット１００を適切に設定することができる。
【００７３】
なお、本発明は、上述した実施形態のみに限定されるものではなく、特許請求の範囲内において、種々改変することができる。
【００７４】
たとえば、上記の実施形態においては、エアマット制御装置２００は、エアマット１００の種類に基づいて空気供給部２７０や表示操作部２５０を制御するための設定を変更する例について説明したが、これに限定されない。エアマット制御装置２００は、エアマット１００の種類に基づいてエアマット１００を制御するためのあらゆる設定を切り替えて使用することができる。
【００７５】
また、エアマット制御装置２００は、図４のステップＳ１０２の処理において、エアマット１００の種類の識別に成功しなかった場合、その旨を示すメッセージを表示操作部２５０に表示してもよい。
【００７６】
また、上記の実施形態においては、空気供給部２７０がエアマット制御装置２００の一部として一体的に設けられる例について説明したが、エアマットシステムのハードウェア構成はこれに限定されない。たとえば、エアマット制御装置２００と空気供給装置とが別体として設けられて相互に無線接続されるような形態であってもよい。
【００７７】
また、上記の実施形態においては、エアマット１００は、接続チューブ１３０および接続部１４０を介してエアマット制御装置２００に接続されるものとして説明したが、接続部１４０を設けず、制御装置２００に接続チューブ１３０を直接接続するような構成としてもよい。この場合、上記において接続部１４０に設けるものとして説明したＲＦＩＤタグ１５１等の構成は、エアマット１００や接続チューブ１３０等といった、接続部１４０以外の箇所に設けられる。
【００７８】
また、上記の第１および第２実施形態は、それぞれ独立した実施形態として説明したが、各実施形態が相互に組み合わせられて実施されてもよい。また、図５の（ａ）〜（ｅ）についても、それぞれ独立したパターンとして説明したが、各パターンが組み合わせられて実施されてもよい。
【００７９】
また、上述したフローチャートの各処理単位は、エアマット制御装置２００の処理に関する理解を容易にするために、主な処理内容に応じて分割したものである。処理ステップの分類の仕方やその名称によって、本願発明が制限されることはない。エアマット制御装置２００が実行する処理は、さらに多くの処理ステップに分割することもできる。また、１つの処理ステップが、さらに多くの処理を実行してもよい。
【００８０】
上述した実施形態に係るエアマットシステムにおける各種処理を行う手段および方法は、専用のハードウェア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、エアマットシステムの一機能としてその装置のソフトウェアに組み込まれてもよい。
【符号の説明】
【００８１】
１００  エアマット、
１１０  ベッドマットレス、
１２０  エアセル、
１３０  接続チューブ、
１４０  接続部、
１５１  ＲＦＩＤタグ、
１５２  ２次元バーコード、
１５３  凸部パターン、
１５４  凹部パターン、
１５５  電気的要素、
２００  エアマット制御装置、
２１０  ＣＰＵ、
２２０  ＲＯＭ、
２３０  ＲＡＭ、
２４０  ストレージ、
２５０  表示操作部、
２６０  識別部、
２６１  ＲＦＩＤタグリーダー、
２６２  カメラ、
２６３、２６４  機械的認識機構、
２６５  電気的認識機構、
２７０  空気供給部、
２８０  通信部、
２９０  バス。
【図１】
2019063346.tif 000003
【図２】
2019063346.tif 000004
【図３】
2019063346.tif 000005
【図４】
2019063346.tif 000006
【図５】
2019063346.tif 000007
【図６】
2019063346.tif 000008
【図７】
2019063346.tif 000009